(57)【特許請求の範囲】
【請求項１】
周壁１上端部に環状突部２を周設し、かつ頂壁３中央部からステム案内筒４を起立すると共に、該ステム案内筒頂壁５を貫設させて噴出用ステム６を上方付勢状態で起立するエアゾール缶Ａと、
上記環状突部２内周面へ筒下部を緊密に嵌合させた内筒７上端から外向きフランジ８を介して外筒９を垂設し、かつ内筒７の前後両部と外筒９後部とのそれぞれに第１、第２および第３の３つの開口部１０、１１、１２を形成した基部材Ｂと、
上記第１および第２開口部１０、１１を介して内筒７を前後へ摺動自在に貫設させた前後細長の摺動板１３中央部の長孔１４に噴出用ステム６を遊挿させて、前後中間板部分を上記ステム案内筒４上面へ載置し、かつその摺動板１３前端から左右両方向へ、第１開口部１０の左右両外縁前面へ係合可能な係合片１６を突設すると共に、摺動板１３後端部を第３開口部１２に臨ませて、摺動板１３後端に付設した摘み部１８、１９を第３開口部１２外方へ突出したロック部材Ｃと、
上記噴出用ステム６上端へ嵌合させたステム嵌合筒２０をヘッド頂壁中央部から垂設すると共に、ヘッド頂壁外周からヘッド外周壁２１を垂設して、該ヘッド外周壁後部下端を上記摺動板１３上面へ係合させたノズル付き押下げヘッドＤとを有し、
上記ロック部材Ｃは、ヘッド外周壁２１後部下端が摺動板１３上面へ係合した係合位置と、摺動板１３の後方移動によりヘッド外周壁２１下端が摺動板１３から離脱した非係合位置とを有する、
ことを特徴とするエアゾール式噴出器。
【発明の詳細な説明】
【０００１】
【発明の属する技術分野】
本発明はエアゾール式噴出器に関する。
【０００２】
【従来の技術】
一般に使用されているエアゾール式噴出容器として、周壁上端部に環状突部を周設すると共に、頂壁中央部を貫設させて噴出用ステムを上方付勢させて起立し、該噴出用ステム上端にノズル付き押下げヘッドを嵌合させたエアゾール缶本体と、上記環状突部外面へ嵌合させた周壁上端へ付設した内向きフランジを環状突部上面へ載置し、かつその内向きフランジ内周からキャップ嵌合筒を起立する環状部材とで形成したものが知られている。
【０００３】
【発明が解決しようとする課題】
上記エアゾール式噴出容器はノズル付き押下げヘッドの押下げを不能にするロック手段を有しないため、子供の悪戯等により液体が噴出させられるおそれがあった。
【０００４】
請求項１記載のエアゾール式噴出器は、ノズル付き押下げヘッドの押下げを不能にするロック手段を設けることにより、使用時以外の時は同押下げヘッドの押下げができないようにして、子供の悪戯等による噴出防止を図ろうとするものである。
【０００５】
【課題を解決するための手段】
第１の手段として、周壁１上端部に環状突部２を周設し、かつ頂壁３中央部からステム案内筒４を起立すると共に、該ステム案内筒頂壁５を貫設させて噴出用ステム６を上方付勢状態で起立するエアゾール缶Ａと、
上記環状突部２内周面へ筒下部を緊密に嵌合させた内筒７上端から外向きフランジ８を介して外筒９を垂設し、かつ内筒７の前後両部と外筒９後部とのそれぞれに第１、第２および第３の３つの開口部１０、１１、１２を形成した基部材Ｂと、
上記第１および第２開口部１０、１１を介して内筒７を前後へ摺動自在に貫設させた前後細長の摺動板１３中央部の長孔１４に噴出用ステム６を遊挿させて、前後中間板部分を上記ステム案内筒４上面へ載置し、かつその摺動板１３前端から左右両方向へ、第１開口部１０の左右両外縁前面へ係合可能な係合片１６を突設すると共に、摺動板１３後端部を第３開口部１２に臨ませて、摺動板１３後端に付設した摘み部１８、１９を第３開口部１２外方へ突出したロック部材Ｃと、
上記噴出用ステム６上端へ嵌合させたステム嵌合筒２０をヘッド頂壁中央部から垂設すると共に、ヘッド頂壁外周からヘッド外周壁２１を垂設して、該ヘッド外周壁後部下端を上記摺動板１３上面へ係合させたノズル付き押下げヘッドＤとを有し、
上記ロック部材Ｃは、ヘッド外周壁２１後部下端が摺動板１３上面へ係合した係合位置と、摺動板１３の後方移動によりヘッド外周壁２１下端が摺動板１３から離脱した非係合位置とを有する。
【０００６】
【発明の実施の形態】
以下、図面を参照しながら本発明に係るエアゾール式噴出器の一実施形態について説明する。
本発明に係るエアゾール式噴出器は、エアゾール缶、基部材、ロック部材及びノズル付き押下げヘッドを主要部材とする。
Ａはエアゾール缶で、周壁１上端部から肩部を介して環状突部２を起立すると共に、頂壁３中央部からステム案内筒４を起立し、かつ該ステム案内筒の頂壁５を貫設させて上方付勢状態で噴出用ステム６を起立する。
【０００７】
Ｂは基部材で、環状突部２内周面へ筒下部を緊密に嵌合させた内筒７上端から外向きフランジ８を突設すると共に、該外向きフランジ外周から外筒９を垂設して、該外筒下端を周壁１肩部の外周部上面へ係合させる。
さらに、内筒７前後両部の上端部から下端面までに第１および第２開口部１０、１１を形成すると共に、両開口部の左右両側面から横断面半円弧状の第１弾性係合突起１１ａを突設し、かつ外筒９後部の上端から下端面までに第３開口部１２を形成する。
【０００８】
Ｃはロック部材で、前後方向へ細長の摺動板１３を、第１および第２開口部１０、１１へ摺動自在に挿通させることにより内筒７を摺動板１３で貫設させる。この際、摺動板１３上面を開口部１０、１１の上面へ、また摺動板１３の左右両側面を開口部１０、１１の左右両側面へ摺動自在に係合させる。
また、摺動板１３中央部に穿設した前後方向に長い長孔１４の外周部から脚筒１５を垂下すると共に、該脚筒と長孔１４とに噴出用ステム６を遊挿させて、脚筒１５下端をステム案内筒４上面へ載置する。
【０００９】
さらに、摺動板１３前端部を頸部に形成して、該頸部前端から左右両方向へ、第１開口部１０の左右両外縁前面へ係合可能な係合片１６を突設すると共に、摺動板１３前端部の左右両側面から横断面半円弧状の第２弾性係合突起１７を突設する。一方、摺動板１３後端部を第３開口部１２に臨ませて、摺動板後端部に縦板１８を付設する。該縦板はその下部が斜下後方へやや傾斜する。さらに、該縦板１８後面上部から上下方向への突条を介して摘み板１９を突設する。該摘み板後面上端部は斜下後方へ傾斜して傾斜面１９ａを形成する。
【００１０】
Ｄはノズル付き押下げヘッドで、噴出用ステム６上端へ嵌合させたステム嵌合筒２０をヘッド頂壁中央部から垂設すると共に、ヘッド頂壁外周からヘッド外周壁２１を垂設して、該外周壁後部下端を摺動板１３の長孔１４よりも後方部分上面へ摺動自在に係合させる。
なお、ヘッド外周壁２１前部下端と内筒７前部上端とを弾性連結片２２で連結する。
【００１１】
Ｅはキャップで、筒上面をキャップ頂板２３で閉塞させた筒下部を、外筒９と縦板１８とのそれぞれの下端部外面へ着脱自在に嵌合させる。
なお、キャップ筒下端は、嵌合時において、摘み板１９の傾斜面１９ａへ摺動自在に係合可能となっている。
【００１２】
以下、本実施形態の作用について説明する。
液体等を噴出させるにはキャップＥを外した後、図１に示すロック部材Ｃの係合位置から摘み板１９を後方へ引けばよく、すると図６に示すように、摺動板１３が後方移動して第２弾性係合突起１７が第１弾性係合突起１１ａを乗り越えて、内筒７内へ位置すると共に、係合片１６が第１開口部１０の外縁前面へ係合し、かつヘッド外周壁２１下端から摺動板１３の長孔１４よりも後方部分が後方へ離脱して、ヘッド外周壁後部下端が長孔１４の上方に位置する。
【００１３】
この状態からノズル付き押下げヘッドＤを押し下げると、ヘッド外周壁２１が後方へやや傾斜しつつ下降して、同外周壁後部下端が長孔１４内面へ摺動自在に係合すると共に、ノズルから液体等が噴出する。
噴出後、ノズル付き押下げヘッドＤを押下げ不能とするためには、図６に示す同ヘッドの非係合位置から摘み板１９を前方へ押せばよく、すると摺動板１３が前方移動してヘッド外周壁２１下端が摺動板１３上面へ係合し、かつ係合片１６が第１開口部１０外縁から離間すると共に、第２弾性係合突起１７が第１弾性係合突起１１ａを乗り越えて第１開口部１０外縁前面へ係合する。
【００１４】
仮に、ロック部材Ｃの前方への押込みを忘れた場合でも、キャップＥを外筒９へ嵌合させれば、キャップ筒下端が摘み板１９の傾斜面１９ａへ係合して摺動板１３を前方移動させるため、ロック部材Ｃのセット忘れの場合でも悪戯等によるノズル付き押下げヘッドＤの押下げが防止される。
【００１５】
【発明の効果】
請求項１記載のエアゾール式噴出器は、摺動板がヘッド外周壁下端へ係合してノズル付き押下げヘッドの押下げを不能にするロック手段を設けたので、使用後、ロック部材を係合位置に位置させることにより子供の悪戯等による噴出を防止することができる。
さらに、ロック部材の組付けに際して他部品が不要であり、従って、部品点数の低減化が可能になる。
【図面の簡単な説明】
【図１】本発明に係るエアゾール式噴出器を示すもので、ロック部材の係合位置を示す断面図。
【図２】同じく、図１のキャップ取外し状態の平面図。
【図３】同じく、図１のＸ−Ｘ線から下方を見た矢視図。
【図４】同じく、要部を示す斜視図。
【図５】同じく、ロック部材の斜視図。
【図６】同じく、ロック部材の非係合位置における噴出状態を示す断面図。
【符号の説明】
１  周壁
２  環状突部
３  頂壁
４  ステム案内筒
５  頂壁
６  噴出用ステム
７  内筒
８  外向きフランジ
９  外筒
１０  第１開口部
１１  第２開口部
１２  第３開口部
１３  摺動板
１４  長孔
１６  係合片
１８  縦板
１９  摘み板
２０  ステム嵌合筒
２１  ヘッド外周壁
２３  キャップ頂板
Ａ  エアゾール缶
Ｂ  基部材
Ｃ  ロック部材
Ｄ  ノズル付き押下げヘッド
【図１】
0003810557.tif 000002
【図２】
0003810557.tif 000003
【図３】
0003810557.tif 000004
【図４】
0003810557.tif 000005
【図５】
0003810557.tif 000006
【図６】
0003810557.tif 000007